(57)【特許請求の範囲】
【請求項１】
排気通路の外周にカバーで覆蓋された水通路を形成されてなり、締付ボルトを締め付けてシリンダヘッドに取り付けられる排気マニホールドにおいて、
前記シリンダヘッド側に外側へ突出して前記排気通路の外周側に一体形成されたフランジ部と、
該フランジ部から間隔をおいて排気ポートから離れる方向に一体状に突出形成されるとともに該排気ポートから離れる方向側の端面が垂直な垂直壁面部に形成された前記締付ボルトを締め付ける締付ボス部と、
該垂直壁面部の下端に形成された略水平な水平壁面部と、
該水平壁面部に連続形成された山状の仕切り突部と、
を備え、
前記フランジ部，前記締付ボス部及び前記仕切り突部の上端には、それぞれ斜めに傾斜したシール面を形成し、該シール面に水通路用カバーを覆設するとともに、該水通路用カバーの前記垂直壁面部に対応する位置に前記締付ボルトを締め付けるための作業用開口部を形成したことを特徴とする排気マニホールド。
【請求項２】
前記仕切り突部の前記排気ポートから離れる方向に一体状に形成された堰突部を備え、該堰突部の上端に前記シール面を形成し、前記水通路用カバーを該シール面に覆設したことを特徴とする請求項１に記載の排気マニホールド。
【発明の詳細な説明】
【０００１】
【産業上の利用分野】
この発明は、排気マニホールドに関するものである。
【０００２】
【従来の技術及びその課題】
従来、図３に示すように、シリンダヘッド１に取り付けられる排気マニホールド２内には排気ガスの通る排気通路３が形成され、この排気通路３内に、複数本の水の通る水通路パイプ５１を設けて、排気ガスの排気熱を回収するように構成したものが存在するが、このような排気マニホールドは、ステンレス材で構成されて水通路パイプ５１を溶接等で組み付ける必要があり、複雑で大型化して重量が増大してしまうという問題点があり、また、排気マニホールドを鉄鋳物製で製作する場合には、熱伝動率が悪いために、さらに水通路内に排気熱回収用のフィンを何枚も設ける必要があり、鋳造時に、このフィンのために鋳砂が焼き付いて砂が落ちずに、水通路に詰まりが生じる場合もあり、製品化が困難で、重量が大で大型化してしまうという問題点がある。
【０００３】
このような問題点を解決するために、図４の拡大断面図で示すように、シリンダヘッド１に締付ボルト９，９でフランジ部２１を締め付けて取り付けられる排気マニホールド２の排気通路３の外周に、カバー５で覆蓋した水通路４，４を形成させて、この水通路４内を流れる冷却水で排気熱を良好に回収するような構成が提案されており、このような構造では、水通路パイプ５１が不要であり、製作が容易で、小型化させて軽量に形成することができるのであるが、フランジ部２１付近まで水通路４を形成させようとすると、水通路４の外側で締付ボルト９を締め付けねばならず、締付ボルト９と排気通路３間の寸法ａが大にならざるを得ず、ａの寸法が大であるとシール性能が低下するために、フランジ部２１の厚みｂを増大させてフランジ部２１の剛性を上げたり、また、ガスケット８のシール性能の高いものを使用する必要があり、また、締付ボルト９を大径にして締付力をアップさせる必要があり、コストが高くなってしまい、また、フランジ部２１を肉厚にするため重量が増大してしまうという問題点があった。
【０００４】
【課題を解決するための手段】
本発明は上記従来の問題点に鑑み案出したものであって、小型軽量化でき、安価に製造できる排気マニホールドを提供せんことを目的とし、その第１の要旨は、排気通路の外周にカバーで覆蓋された水通路を形成されてなり、締付ボルトを締め付けてシリンダヘッドに取り付けられる排気マニホールドにおいて、前記シリンダヘッド側に外側へ突出して前記排気通路の外周側に一体形成されたフランジ部と、該フランジ部から間隔をおいて排気ポートから離れる方向に一体状に突出形成されるとともに該排気ポートから離れる方向側の端面が垂直な垂直壁面部に形成された前記締付ボルトを締め付ける締付ボス部と、該垂直壁面部の下端に形成された略水平な水平壁面部と、該水平壁面部に連続形成された山状の仕切り突部と、を備え、前記フランジ部，前記締付ボス部及び前記仕切り突部の上端には、それぞれ斜めに傾斜したシール面を形成し、該シール面に水通路用カバーを覆設するとともに、該水通路用カバーの前記垂直壁面部に対応する位置に前記締付ボルトを締め付けるための作業用開口部を形成したことである。
また、第２の要旨は、前記仕切り突部の前記排気ポートから離れる方向に一体状に形成された堰突部を備え、該堰突部の上端に前記シール面を形成し、前記水通路用カバーを該シール面に覆設したことである。
【０００５】
【実施例】
以下、本発明の実施例を図面に基づいて説明する。
図１は、排気マニホールドの断面拡大構成図であり、図２のＹ−Ｙ断面を拡大して示すものである。
【０００６】
図において、シリンダヘッド１の排気ポートに整合状にガスケット８を介在させて締め付け固定される排気マニホールド２内には、シリンダヘッドの排気ポートと連通状となり排気ガスが流れる排気通路３が形成されており、この排気通路３の外周側には、シリンダヘッド１側に外側へ突出してフランジ部２１が一体形成され、フランジ部２１から間隔をおいて図示右側に締付ボス部２２が一体状に突出形成されており、この締付ボス部２２の右端面は垂直な垂直壁面部２２ａとなっており、この部分に締付ボルト９を締め付けることができるように構成されている。
また、垂直壁面部２２ａの下端には略水平な水平壁面部２３が形成されており、水平壁面部２３の右端には、仕切り突部２４が山状に連続形成され、この仕切り突部２４と堰突部２５間に、第２上部水通路４ｂが形成されたものとなっている。
【０００７】
前記フランジ部２１の図示上端，締付ボス部２２の上端，仕切り突部２４の上端，堰突部２５の上端には、それぞれ斜めに傾斜した第１シール面７ａ，第２シール面７ｂ，第３シール面７ｃ，第４シール面７ｄが形成され、この各シール面７ａ，７ｂ，７ｃ，７ｄ上に、シール部材を介在させて水通路用上カバー５ａが覆設されて、水通路用上カバー５ａにより各シール面７ａ，７ｂ，７ｃ，７ｄは斜め方向の同一面でシールされた構造となっている。これによりフランジ部２１と締付ボス部２２間に凹み状に第１上部水通路４ａが形成され、また、前記第２上部水通路４ｂが仕切り突部２４と堰突部２５間に形成されて、それぞれ水通路４ａ，４ｂ内には冷却水が通されるように構成されている。
また、下部においても、フランジ部２１と堰突部２５が突出されて、その間が凹み状の下部水通路４となっており、この下部水通路４は水通路用下カバー５ｂで覆蓋されて、水通路用下カバー５ｂにより、フランジ部２１と堰突部２５の下端外周のシール面７ａ，７ｄは斜め方向の同一面でシールされている。
【０００８】
なお、水通路用上カバー５ａを例に取ると、この水通路用上カバー５ａには、方形状等の作業用開口部６が所定間隔で図２のように開口形成されており、この各作業用開口部６内に外側から手を入れて、前記締付ボルト９を締付ボス部２２に良好に締め付けることができ、各作業用開口部６を介し良好に締付ボルト９の締付作業を行なうことができて、締付ボルト９の締め付けにより、フランジ部２１をガスケット８を介在させてシリンダヘッド１側へ強固に固定することができるものである。
なお、図２中、１０はカバー５ａ，５ｂを取り付ける固定用のボルトである。
【０００９】
このようにカバー５ａ，５ｂを覆蓋して良好に排気通路３の外周側に水通路４，４ａ，４ｂを形成させることができるために、従来のような水通路パイプ５１は不要であり、製造が容易で組付作業も容易となり、安価に、しかも小型化させて軽量に形成することができる。
また、従来に比べて締付ボルト９の締め付け位置が排気通路３の中心に近い位置であり、即ち、排気通路３の中心と締付ボルト９間の寸法ａを従来よりも短く設定でき、そのため、シリンダヘッド１に対するシール性が良好に確保されることとなり、従来よりもフランジ部２１の厚みｂを薄く設定することができ、また、締付ボルト９の寸法を従来よりも小径に設定して、良好なシール性を確保することができるものとなる。
【００１０】
そのため、カバー５ａ，５ｂ及び排気マニホールド２全体をアルミニウム化することが可能で、より軽量化が可能となり、また、締付ボス部２２とフランジ部２１間に、冷却水の通る水通路４ａが形成されているため、締付ボス部２２が良好に冷却されて、排気ガスの熱による熱応力による影響が少ないために、さらにアルミニウム化が容易となり、締付ボルト９は耐熱材のボルトを用いる必要もなく、普通のボルトを用いて安価に製作することができるものとなる。
なお、全体をアルミニウム化すれば、熱伝動率が向上し、排気熱の回収性能がより向上するものとなる。
【００１１】
【発明の効果】
本発明は、排気通路の外周にカバーで覆蓋された水通路を形成されてなり、締付ボルトを締め付けてシリンダヘッドに取り付けられる排気マニホールドにおいて、前記シリンダヘッド側に外側へ突出して前記排気通路の外周側に一体形成されたフランジ部と、該フランジ部から間隔をおいて排気ポートから離れる方向に一体状に突出形成されるとともに該排気ポートから離れる方向側の端面が垂直な垂直壁面部に形成された前記締付ボルトを締め付ける締付ボス部と、該垂直壁面部の下端に形成された略水平な水平壁面部と、該水平壁面部に連続形成された山状の仕切り突部と、を備え、前記フランジ部，前記締付ボス部及び前記仕切り突部の上端には、それぞれ斜めに傾斜したシール面を形成し、該シール面に水通路用カバーを覆設するとともに、該水通路用カバーの前記垂直壁面部に対応する位置に前記締付ボルトを締め付けるための作業用開口部を形成したこと、また、前記仕切り突部の前記排気ポートから離れる方向に一体状に形成された堰突部を備え、該堰突部の上端に前記シール面を形成し、前記水通路用カバーを該シール面に覆設したことにより、カバーで覆蓋して良好に排気通路の外周に冷却水の通る水通路を形成させることができ、製作が容易で、部品点数を少なくして安価に形成することができ、また、締付ボルトの締め付け位置が排気通路に近いために、シリンダヘッドに対するシール性を良好に確保することができるものとなり、そのため全体の剛性を上げる必要がなく、小型軽量化した排気マニホールドとなり、しかも締付ボルトはカバーに設けられた作業用開口から容易に締付作業を行なうことができ、製作及びメンテナンスが容易なものとなる。
【図面の簡単な説明】
【図１】  シリンダヘッドに取り付けられた排気マニホールドの断面拡大構成図であり、図２のＹ−Ｙ線断面図である。
【図２】  排気マニホールドの取付状態の一部破断外観図である。
【図３】  従来の内部に水通路パイプを設けた構造の排気マニホールドの一部破断外観構成図である。
【図４】  従来の外周に水通路を形成した排気マニホールドの断面拡大構成図である。
【符号の説明】
１  シリンダヘッド
２  排気マニホールド
３  排気通路
４，４ａ，４ｂ  水通路
５，５ａ，５ｂ  カバー
６  作業用開口部
７ａ，７ｂ，７ｃ，７ｄ  シール面
８  ガスケット
９  締付ボルト
２１  フランジ部
２２  締付ボス部
２２ａ  垂直壁面部
２４  仕切り突部
２５  堰突部
【図１】
0003735838.tif 000002
【図２】
0003735838.tif 000003
【図３】
0003735838.tif 000004
【図４】
0003735838.tif 000005